(57)【要約】  【課題】  装身具本体を身体の指や腕などに装着することにより、従来のものに比し装身具としての装飾効果を発揮させ、以て周囲の羨望や関心を集め身体の美しさを強調することができる装身具を提供すること。  【解決手段】  装飾具本体と、上記装身具本体に取付けられる宝石本体と、上記宝石本体を包懐し保持する篭部材と、上記篭部材および上記装身具本体の双方に設けられた雌雄係合手段からなり、装飾具本体は、その外周の一部に上記篭部材を嵌合させることができる凹陥部があり、篭部材は、宝石本体の下方を篏入させることができる水平な環状部材と、これに熔着しかつ夫々が約１８０度の間隔でＶ字状に直立させるとともに、夫々の上端は宝石本体の上面に掛止できるようになした三脚部材からなり、篭部材の雄係合手段は、上記環状部材の両側から外方向に突出させて設けた一対の係合突起と、この係合突起に設けた嵌合孔からなり、篭部材の雌係合手段は、上記装飾具本体の凹陥部両側から外方向にしてかつ、上記係合突起を緩挿入出来るようにした溝と、この溝に設けられかつ上記嵌合孔に緩貫通させた軸部材からなり、この雌雄係合手段により宝石を保持する篭部材は、上記装飾具本体の凹陥部内で揺動できるようにしたこと。  【選択図】 図２
0003134201.tif 000002
【実用新案登録請求の範囲】
【請求項１】
装飾具本体と、
上記装身具本体に取付けられる宝石本体と、
上記宝石本体を包懐し保持する篭部材と、
上記篭部材および上記装身具本体の双方に設けられた雌雄係合手段からなり、
装飾具本体は、その外周の一部に上記篭部材を嵌合させることができる凹陥部があり、
篭部材は、宝石本体の下方を篏入させることができる水平な環状部材と、これに熔着しかつ夫々が約１８０度の間隔でＶ字状に直立させるとともに、夫々の上端は宝石本体の上面に掛止できるようになした三脚部材からなり、
篭部材の雌係合手段は、上記環状部材の両側から外方向に突出させて設けた一対の係合突起と、この係合突起に設けた嵌合孔からなり、
篭部材の雄係合手段は、上記装飾具本体の凹陥部両側から外方向にしてかつ、上記係合突起を緩挿入出来るようにした溝と、この溝に設けられかつ上記嵌合孔に緩貫通させた軸部材からなり、
この雌雄係合手段により宝石を保持する篭部材は、上記装飾具本体の凹陥部内で揺動できるようにした装身具。
【考案の詳細な説明】
【技術分野】
【０００１】
本案は、装飾具本体に各種の宝石を装着させた指輪のような装身具に関する。
【背景技術】
【０００２】
言うまでもなく、この種の装身具は身体の指や腕などに装着することにより、装身具そのものの装飾効果を発揮させ、以て周囲の羨望や関心を集め身体の美しさを強調することができるのである。
【０００３】
而してこのためには、かかる装飾具本体に装着した宝石類を特に目立たせることが要求されるのであるが、それには上記装着された宝石類を揺動させることで、これに当たる光りが周囲に拡散して装飾効果を増大させることが考えられる。
【０００４】
その最も簡単な公知例としては特許文献１に示されたように、断面Ｖ字状の貴金属の保持板があって、その内面の対向箇所に係止溝部を設け、宝石のガードル部を係合させる発明がある。しかしこの発明の技術手段では、少しの振動で宝石が係止溝部から外れ落ち、高価な宝石を欠損する虞があること明らかである、
【０００５】
また、特許文献２に開示されている装身具は、宝石類と輪状部とで結合させたものであるが、宝石類と輪状部とで結合させる方法には、宝石類に孔を空けその孔に輪状部を通して結合してなど、高価な宝石を加工するもので宝石の価値を下げる虞すらある。
【０００６】
【特許文献１】特許第３８７８５５４号公報
【特許文献２】特開２００６−１９２０５４号公報
【考案の開示】
【考案が解決しようとする課題】
【０００７】
よって本案の目的は、本案装身具本体を身体の指や腕などに装着することにより、従来のものに比し装身具としての装飾効果を発揮させ、以て周囲の羨望や関心を集め身体の美しさを強調することができる装身具を提供することにある。
【０００８】
しかもその構造は比較的簡単で量産に適し、装身具本体に装着される高価な宝石本体は、装着の際に傷をつけるような加工をせず、よく揺動し光りをよく拡散できるものでありながら、かかる宝石本体が装身具本体から抜出する虞がない装身具を提供することにある。
【課題を解決するための手段】
【０００９】
而して本案の特徴は、装飾具本体と、上記装身具本体に取付けられる宝石本体と、上記宝石本体を包懐し保持する篭部材と、上記篭部材および上記装身具本体の双方に設けられた雌雄係合手段からなることである。
【００１０】
他に本案の特徴として上記装飾具本体は、その外周の一部に上記篭部材を嵌合させることができる凹陥部があることである。
【００１１】
他に本案の特徴として上記篭部材は、宝石本体の下方を篏入させることができる水平な環状部材と、これに熔着しかつ夫々が約１８０度の間隔でＶ字状に直立させるとともに、夫々の上端は宝石本体の上面に掛止できるようになした三脚部材からなりたっていることである。
【００１２】
他に本案の特徴として上記篭部材の雌係合手段は、上記環状部材の両側から外方向に突出させて設けた一対の係合突起と、この係合突起に設けた嵌合孔からなっていることである。
【００１３】
他に本案の特徴として上記篭部材の雄係合手段は、上記装飾具本体の凹陥部両側から外方向にしてかつ、上記係合突起を緩挿入出来るようにした溝と、この溝に設けられかつ上記嵌合孔に緩貫通させた軸部材からなっていることである。
【００１４】
そして、この雌雄係合手段により宝石を保持する篭部材は、上記装飾具本体の凹陥部内で揺動できるようにしたことも本案の特徴である。
【考案の効果】
【００１５】
而して本案の効果として宝石本体は、篭部材に包懐するように保持したから、装着者の歩行等による振動で、宝石類が激しく揺動してもこの高価な宝石本体に傷を与える恐れなく、またこの揺動によって宝石本体に照射された光が反射し、装着者の周囲に乱反射し、装着者および周囲の人々に多大な好感を与えることができたのである。
【００１６】
また、宝石本体を内装した篭部材は、装飾具本体の凹陥部に嵌挿したものであるから、篭部材も装飾具本体から容易には抜出せず宝石本体を紛失する虞もない。
【００１７】
他に本案の効果としては、宝石本体を夫々が約１８０度の間隔でＶ字状に直立させた三脚部材に支持させたこと、および三脚部材の夫々の上端は宝石本体の上面に掛止させたことの相乗作用によって、宝石本体が篭部材すなわち三脚部材から外れず、宝石本体を落下させるような不祥事を未然に防止できたことである。
【００１８】
即ち、もし宝石本体を上記水平な環状部材だけで保持させた場合、宝石本体の揺動作用は、環状部材の両側に設けた係合突起を外方向に引く力、極端に言うと水平な環状部材を係合突起がある方向に引き楕円形とするような力が働き、結果宝石本体が環状部材から抜出する虞がある。
【００１９】
この為には係合突起がある方向とは９０度方向を変えて対の宝石本体補助部材を設け、宝石本体を保持し環状部材の楕円化を阻止するようにすればよいが、これでは環状部材内の宝石本体を２箇所で保持することになり、使用者の激しい運動等により宝石本体を保持していない部位より、かかる宝石本体が抜出る虞がある。
【００２０】
この点本案は上記水平な環状部材に対し、夫々が約１８０度の間隔でＶ字状に直立させ、夫々の上端は宝石本体の上面に掛止できるようになした三脚部材からなる篭部材を設けたから、使用者の激しい振動に依っても宝石本体篭部材の何れの方向からも抜出る虞がないのである。
【００２１】
また、かかる篭部材と装飾具本体との係合手段は、上記環状部材に設けた係合突起の嵌合孔と、これに挿通させた装身具本体の軸部材の径で決まるようにしたこともので、篭部材の揺動範囲は、上記環状部材に設けた係合突起の嵌合孔の内径と、これに挿通された装身具本体の軸部材の径で決まることになる。
【００２２】
即ち言換えれば嵌合孔と、軸部材は緩嵌合されているからその隙間内で揺動するので揺動する角度が制限でき、長時間に渡って所望の輝く時間を出すことができるのである。
【考案を実施するための最良の形態】
【００２３】
図で本案の１実施例を説明する。而して本案装身具は、装飾具本体（１）と、上記装身具本体（１）に取付けられる宝石本体（２）と、上記宝石本体（２）を包懐し保持する篭部材（３）と、上記篭部材（３）および上記装身具本体（１）の双方に設けられた雌雄係合手段（４）（５）からなっている。
【００２４】
そして装飾具本体（１）は、その外周の一部に上記篭部材（３）を揺動可能に緩嵌合させた凹陥部（６）がある。なおこの実施例で宝石本体（３）は、ダイヤモンドで通常どこでも見られる逆円錐状のカットがなされたものを示した。しかしこれら宝石本体（２）は、ダイヤモンド、エメラルド、サファイア、ルビー、模造宝石及び人造宝石などのすべての宝石類に実施可能なものであること勿論である。
【００２５】
また上記篭部材（３）は、宝石本体（２）の下方（２１）を篏入させることができる水平な環状部材（７）と、これに熔着しかつ夫々が約１８０度の間隔でＶ字状に直立させた三脚部材（８）から構成されている。
【００２６】
そしてこの三脚部材（８）の高さは、その先端部を宝石本対（２）の上辺より上方に伸ばし、その先端を宝石本体（２）の上面方向に折曲げ爪片（８１）とすることで、宝石本体（２）は、上記環状部材（７）と爪片（８１）間に狭持され、かかる篭部材（３）に激しい振動があっても、宝石本対（２）が篭部材（８）から抜出するような虞がないよう配慮されている。
【００２７】
なお、このように宝石本体（２）を保持することで、この実施例の装身具本体（１）を観た第３者あるいは自分自身は、かかる宝石本体（２）の略々全体が透視可能となるのであって、宝石本体（２）の略全体の大きさ、輝度及びカットデザインなどを装着状態で視認することができ、自己満足は勿論周囲の人々に好感を与え羨望の的となることができるのである。
【００２８】
この篭部材（３）の装飾具本体（１）への雌雄係合手段（４）（５）中、雌係合手段（４）は、上記篭部材（３）に水平に設けた環状部材（７）の両側から一直線状に一対の係合突起（９）（１０）を外方向に突出させて設け、かつこの係合突起（９）（１０）の略々中央に嵌合孔（１１）（１２）を設ける。
【００２９】
また上記装飾具本体（１）の凹陥部（６）の両側から外方向には、上記係合突起（９）（１０）を緩挿入することができる溝（１３）（１４）がある。そして篭部材（３）の雌雄係合手段（４）（５）中雄係合手段（５）は、上記係合突起（９）（１０）の嵌合孔（１１）（１２）と対応する位置で、溝（１３）（１４）に架橋させた軸部材（１５）（１６）を設けたものである。
【００３０】
そしてかかる軸部材（１５）（１６）は、上記係合突起（９）（１０）の嵌合孔（１１）（１２）に貫通させることで篭部材（３）を装飾具本体（１）に支持させるものであるが、この場合上記係合突起（９）（１０）の嵌合孔（１１）（１２）に貫通させる部位は、頗る緩いもの言換えれば篭部材（３）が装飾具本体（１）に対して自由方向に揺動できるようにすることが肝要である。
【００３１】
この場合詳細な図示はないが上記三脚部材（８）は、その末端あるいは末端に近い部分に重錘（１７）をその肉厚を増やすなど工夫すれば、篭部材（３）が振り子の原埋で揺動可能となっている。しかも篭部材（３）は、一度の揺れ動く外的操作で複数回揺動することが可能となり、その輝きを継続させることができる。
【００３２】
しかして本案装身具本体（１）を使用者は、使用者の身体の指（Ａ）や腕などに装着することにより、従来のものに比し優れた装身具としての装飾効果を発揮させ、以て周囲の羨望や関心を集め身体の美しさを強調することができたのであり、しかも宝石本体（２）を内装した篭部材（３）は、よく揺動し光りをよく拡散できるものでありながら、かかる宝石本体（２）が装身具本体（１）から抜出する虞がないのである。
【００３３】
即ち、もし宝石本体（２）を上記水平な環状部材（７）のみで保持させた場合、宝石本体（２）の揺動作用は、環状部材（７）の両側に設けた係合突起（９）（１０）を外方向に引く力、極端に言うと水平な環状部材（７）を係合突起（９）（１０）がある方向に引き楕円形とするような力が働き、結果宝石本体（２）が環状部材（７）から抜出する虞がある。
【００３４】
この為には係合突起（９）（１０）がある方向とは９０度方向を変えて対の宝石本体補助部材を設け、宝石本体を保持し環状部材の楕円化を阻止するようにすればよいが、これでは環状部材（７）内の宝石本体を２箇所で保持することになり、使用者の激しい運動等により宝石本体（２）を保持していない部位より、かかる宝石本体（２）が抜出る虞がある。
【００３５】
この点本案は上記水平な環状部材（７）に対し、夫々が約１８０度の間隔でＶ字状に直立させ、夫々の上端は宝石本体の上面に掛止できるようになした三脚部材（８）からなる篭部材（３）を設けたから、使用者の激しい振動に依っても宝石本体篭部材の何れの方向からも抜出る虞がないのである。
【００３６】
なお上記装飾具本体（１）の材質は、特に限定されず例えばチタン、金及びシルバーなどが用いられる。また篭部材（３）の材料も上記と同様の貴金属で、環状部材（７）と三脚部材（８）は全て一体となって形成されている。この形成方法は、例えば熱溶着などで溶着し一体となしている。
【００３７】
さらに環状部材（７）は、ここでは平面円形状で形成されているが、この形状に限定されず、例えば多角形形状で形成しても良い。さらに三脚部材（８）の形状はＶ字形形状となっているが、この形状に限定されず例えばＵ字形形状で形成することが可能である。
【００３８】
また篭部材（３）の揺動範囲は、上記環状部材（７）に設けた係合突起（９）（１０）の嵌合孔（１１）（１２）の内径と、これに挿通された装身具本体（１）の軸部材（１５）（１６）の径で決まることになる。
【００３９】
即ち言換えれば、嵌合孔（１１）（１２）と、軸部材（１５）（１６）は緩嵌合されているからその隙間内で揺動するので、揺動する角度が制限できのである。詳述すると、光の反射による輝き感は、照射された光が反射したり透過し光ったり消えたりの繰り返しを行うものである。
【００４０】
またこの篭部材（３）の振れる角度が大きすぎると上述した繰り返し時間がかかってしまう。一方角度が小さすぎると上述した繰り返し時聞が早すぎて輝き感が目視で確認できない虞がある。そこで本実施の形態においては、上記嵌合孔（１１）（１２）と、軸部材（１５）（１６）の径を適宜変更し、その間隔を調節することで篭部材（３）の角度が制限できるため、長時間に渡って所望の輝く時間を出すことができるのである。
【図面の簡単な説明】
【００４１】
【図１】指に装着した装身具本体の斜視図
【図２】篭部材を取付けた装身具本体主要部の縦断面図
【図３】篭部材の平面説明図である。
【符号の説明】
【００４２】
１          装飾具本体
２          宝石本体
２１        下方
３          篭部材
４，５      雌雄係合手段
６          凹陥部
７          環状部材
８          三脚部材
８１        爪片
９，１０    一対の係合突起
１１，１２  嵌合孔
１３，１４  溝
１５，１６  軸部材
【図１】
0003134201.tif 000003
【図２】
0003134201.tif 000004
【図３】
0003134201.tif 000005